(57)【要約】【課題】多様な表示パターンを可能とすることで、遊技興趣をより向上させる。【解決手段】演出装置２０は、サブ液晶表示装置３０の表示部３０ａが移動装置３１により、第１位置と、第１位置とは異なる位置とに移動可能で、第１位置にある表示部３０ａに表示される画像と、画像を透過可能な刀部材４１とによる重畳表示が可能である。これにより、第１位置での刀部材４１と表示部３０ａとによる重畳表示と、第１位置とは異なる位置での表示部３０ａによる表示とが可能となる。【選択図】図２
2018114134.tif 000002
【特許請求の範囲】
【請求項１】
遊技機に用いられる遊技機用演出装置であって、
複数種の画像を表示可能な表示装置と、
前記表示装置に表示される画像を透過可能な装飾部材と、
第１位置と、前記第１位置とは異なる位置とに前記表示装置を移動可能な移動装置と、
を備え、
少なくとも前記表示装置が前記第１位置とされているときに、前記表示装置に表示される画像と、前記装飾部材とによる重畳表示が可能である
遊技機用演出装置。
【請求項２】
請求項１に記載の遊技機用演出装置であって、
前記装飾部材は、第１装飾部材と、第２装飾部材とを含む複数の装飾部材を備え、
前記移動装置は、前記第１装飾部材の背後となる前記第１位置と、前記第２装飾部材の背後となる第２位置とに前記表示装置を移動させる
遊技機用演出装置。
【請求項３】
請求項２に記載の遊技機用演出装置であって、
前記第２装飾部材は、前記表示装置に表示される画像を透過可能な透過面が前記表示装置の表示面に対して斜めになる向きと、前記透過面が前記表示装置の表示面に対して平行となる向きとに変化するよう回動可能である
遊技機用演出装置。
【請求項４】
請求項１ないし３のいずれか１項に記載の遊技機用演出装置であって、
前記装飾部材は、第１装飾部材と、第３装飾部材とを含む複数の装飾部材を備え、
前記移動装置は、前記第１装飾部材の背後となる前記第１位置と、第３位置とに前記表示装置を移動させ、
前記第３装飾部材は、前記第３位置にある前記表示装置を覆う位置と、前記第３位置にある前記表示装置を露出する位置とに移動可能である
遊技機用演出装置。
【発明の詳細な説明】
【技術分野】
【０００１】
本発明は、遊技機用演出装置に関する。
【背景技術】
【０００２】
従来、この種の遊技機用演出装置としては、遊技者が視認困難な位置から遊技者が視認可能な位置に出現する複数の可動演出ユニットを備えるものが提案されている（例えば、特許文献１参照）。複数の可動演出ユニットの各々には、装飾体として、文字または絵柄を分割して切り出した切出装飾が設けられている。そして、遊技状態に応じて複数の可動演出ユニットが出現すると、切出装飾の組み合わせによりいずれかの文字または絵柄を遊技者に視認可能とすることで、遊技者に有利な遊技状態が到来することを示唆している。
【先行技術文献】
【特許文献】
【０００３】
【特許文献１】特開２０１６−００２４１２号公報
【発明の概要】
【発明が解決しようとする課題】
【０００４】
しかしながら、上述した遊技機用演出装置では、装飾体として設けられた切出装飾を組み合わせることにより表示可能なパターンは限られたものとなる。このため、遊技興趣を向上させるには不十分である。
【０００５】
本発明の遊技機用演出装置は、多様な表示パターンを可能とすることで、遊技興趣をより向上させることを主目的とする。
【課題を解決するための手段】
【０００６】
本発明の遊技機用演出装置は、上述の主目的を達成するために以下の手段を採った。
【０００７】
本発明の遊技機用演出装置は、
遊技機に用いられる遊技機用演出装置であって、
複数種の画像を表示可能な表示装置と、
前記表示装置に表示される画像を透過可能な装飾部材と、
第１位置と、前記第１位置とは異なる位置とに前記表示装置を移動可能な移動装置と、
を備え、
少なくとも前記表示装置が前記第１位置とされているときに、前記表示装置に表示される画像と、前記装飾部材とによる重畳表示が可能である
ことを要旨とする。
【０００８】
本発明の遊技機用演出装置は、第１位置と、第１位置とは異なる位置とに表示装置を移動可能であり、少なくとも表示装置が第１位置とされているときに、表示装置に表示される画像と、画像を透過可能な装飾部材とによる重畳表示が可能である。これにより、表示装置は、第１位置における装飾部材との重畳表示と、第１位置とは異なる位置における表示とが可能となるから、多様な表示パターンを可能として遊技興趣をより向上させることができる。
【０００９】
本発明の遊技機用演出装置において、前記装飾部材は、第１装飾部材と、第２装飾部材とを含む複数の装飾部材を備え、前記移動装置は、前記第１装飾部材の背後となる前記第１位置と、前記第２装飾部材の背後となる第２位置とに前記表示装置を移動させるものとすることもできる。こうすれば、表示装置と複数の装飾部材とにより複数種の重畳表示が可能となるから、遊技興趣をさらに向上させることができる。
【００１０】
本発明の遊技機用演出装置において、前記第２装飾部材は、前記表示装置に表示される画像を透過可能な透過面が前記表示装置の表示面に対して斜めになる向きと、前記透過面が前記表示装置の表示面に対して平行となる向きとに変化するよう回動可能であるものとすることもできる。こうすれば、第２装飾部材と表示装置との重畳表示を可能としつつ、重畳表示しない場合には第２装飾部材の透過面を表示面に対して斜めとなる向きとして第２装飾部材の透過面により覆われる領域を抑えることができる。
【００１１】
本発明の遊技機用演出装置において、前記装飾部材は、第１装飾部材と、第３装飾部材とを含む複数の装飾部材を備え、前記移動装置は、前記第１装飾部材の背後となる前記第１位置と、第３位置とに前記表示装置を移動させ、前記第３装飾部材は、前記第３位置にある前記表示装置を覆う位置と、前記第３位置にある前記表示装置を露出する位置とに移動可能であるものとすることもできる。こうすれば、表示装置と第３装飾部材との重畳表示と、表示装置のみの表示とを容易に切り替えることができるから、さらに多様な表示パターンを可能とすることができる。
【発明の効果】
【００１２】
本発明の遊技機用演出装置によれば、多様なパターンによる表示を可能とすることで、遊技興趣をより向上させることができる。
【図面の簡単な説明】
【００１３】
【図１】演出装置２０を備える遊技機１の構成図である。
【図２】演出装置２０の構成図である。
【図３】演出装置２０の斜視図である。
【図４】ベース板２２の構成図である。
【図５】サブ液晶表示装置３０の構成図である。
【図６】サブ液晶表示装置３０の構成図である。
【図７】フレーム３０ｂ（表示部３０ａ）の移動の様子を示す説明図である。
【図８】第２役物装置５０の構成図である。
【図９】第２役物装置５０の構成図である。
【図１０】演出装置２０の作動の様子を示す説明図である。
【図１１】演出装置２０の作動の様子を示す説明図である。
【図１２】演出装置２０の作動の様子を示す説明図である。
【図１３】演出装置２０の作動の様子を示す説明図である。
【発明を実施するための形態】
【００１４】
次に、本発明を実施するための形態について説明する。
【００１５】
図１は演出装置２０を備える遊技機１の構成図であり、図２は演出装置２０の構成図であり、図３は演出装置２０の斜視図である。また、図４はベース板２２の構成図であり、図５，図６はサブ液晶表示装置３０の構成図であり、図７はフレーム３０ｂ（表示部３０ａ）の移動の様子を示す説明図であり、図８，図９は第２役物装置５０の構成図である。
【００１６】
遊技機１は、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による入力操作が可能な操作ボタン８と、を備える。
【００１７】
遊技盤３は、透明な板状部材で形成されており、図示しない複数の釘が設けられた表面、または、裏面に、光透過性の印刷（装飾）が施された部分（領域）と印刷が施されてない部分（領域）とを有している。この遊技盤３は、遊技領域の右下部に配置された図柄表示装置１１と、遊技領域の中央に配置され各種演出画像を表示するメイン液晶表示装置１２と、メイン液晶表示装置１２の下方に配置され遊技球が入球可能な第１始動口（固定始動口）１３と、第１始動口１３の下方に開閉可能に配置され遊技球が入球可能な第２始動口（可変始動口）１４と、メイン液晶表示装置１２の右下に開閉可能に配置され遊技球が入球可能な大入賞口１５と、遊技領域の下方まで流下した遊技球を回収するためのアウト口１６と、メイン液晶表示装置１２の周囲に配置される演出装置２０と、が設けられている。演出装置２０は、図２，図３に示すように、サブ液晶表示装置３０と、第１，第２，第３役物装置４０，５０，６０とを備える。図示するように、第１役物装置４０はメイン液晶表示装置１２の下側に配置され、第２役物装置４０はメイン液晶表示装置１２の左側に配置され、第３役物装置６０はメイン液晶表示装置１２の上側に配置されている。
【００１８】
遊技機１は、第１始動口１３や第２始動口１４への遊技球の入球に伴い、図柄表示装置１１で特別図柄の変動表示を行い、特別図柄の変動表示の終了に伴い特別図柄が大当り図柄で停止表示されると、大入賞口１５を開放する大当り遊技を実行するパチンコ機として構成されている。また、遊技機１は、特別図柄の変動表示中に、メイン液晶表示装置１２の表示画面で演出図柄を変動表示させる図柄変動演出を行う。図柄変動演出では、演出図柄の変動表示を伴ってリーチ演出や予告演出、ボタン演出などが行われる。また、演出装置２０は、リーチ演出や予告演出、ボタン演出などが行われる際に、サブ液晶表示装置３０の表示部３０ａに各種演出画像を表示したり、第１，第２，第３役物装置４０，５０，６０の各可動役物を作動させる作動演出を行ったりして、大当りの可能性を遊技者に示唆する。以下、演出装置２０の構成について説明する。
【００１９】
サブ液晶表示装置３０は、図２〜図６に示すように、メイン液晶表示装置１２の表示部が配置されるように中央に開口部２２ａが形成されたベース板２２に取り付けられ、周囲をフレーム３０ｂで囲まれた長方形状の表示部３０ａと、開口部２２ａの周りに表示部３０ａをフレーム３０ｂごと移動させる移動装置３１と、を備える。なお、図４（ａ）はベース板２２の正面図であり、図４（ｂ）はベース板２２の斜視図である。また、図５（ａ），図６（ａ）はサブ液晶表示装置３０の正面図であり、図４（ｂ），図５（ｂ）はサブ液晶表示装置３０の斜視図である。
【００２０】
移動装置３１は、駆動モータ３３と、ベース板２２に回動可能に支持されて駆動モータ３３の駆動により回動するリングフレーム３５とを備える。リングフレーム３５は、駆動モータ３３の駆動ギヤ３４ａに伝達ギヤ３４ｂを介して噛合するリングギヤ３４ｃ（図６（ｂ）参照）が外周の一部に形成されたリング状の第１フレーム３５ａと、第１フレーム３５ａに張り合わされるリング状の第２フレーム３５ｂとを備える。リングフレーム３５は、その回動範囲の初期位置にある初期状態で、円周上の略８時の位置に設けられた連結軸３６ａに上端が回動可能に連結される連結アーム３６が取り付けられている。また、リングフレーム３５の第２フレーム３５ｂの一部には、初期状態で第２フレーム３５ｂの円周上の略７時の位置から略５時の位置にかけて弓形状に変形して、第１フレーム３５ａの内周面との間に円弧状の隙間を形成する隙間形成部３７が形成されている。この隙間形成部３７は、初期状態で円周上の略５時の位置で第１フレーム３５ａの円弧に沿って折り返すように屈曲した折り返し部３７ａを有する。連結アーム３６（連結軸３６ａ）と隙間形成部３７は、リングフレーム３５の移動に追従して、リングフレーム３５の周方向に沿って移動する。表示部３０ａのフレーム３０ｂには、フレーム３０ｂの一方の短辺の下部に第１ピン３２ａが設けられると共にフレーム３０ｂの他方の短片の下部に第２ピン３２ｂが設けられている。第１ピン３２ａは、先端が連結アーム３６の他端に連結されており、第２ピン３２ｂは、先端が隙間形成部３７と第１フレーム３５ａとの間の隙間に延在している。また、移動装置３１は、初期状態で第２ピン３２ｂを受けるピン受け部３８ａが形成された受け板３８と、主に表示部３０ａ（フレーム３０ｂ）が反時計回りに移動する際に第１ピン３２ａと第２ピン３２ｂとを左右のいずれかに振り分ける振分部材３９とを備える。受け板３８と振分部材３９とは、ベース板２２に固定されている。
【００２１】
移動装置３１は、駆動モータ３３の正回転駆動によりリングフレーム３５を時計回りに回動させ、駆動モータ３３の逆回転駆動によりリングフレーム３５を反時計回りに回動させる。リングフレーム３５が初期状態から時計回りに回動すると、連結アーム３６の下端に連結される第１ピン３２ａは、リングフレーム３５に追従する連結アーム３６に引き上げられてリングフレーム３５の周方向に時計回りに移動する。また、隙間形成部３７と第１フレーム３５ａとの間の隙間に延在する第２ピン３２ｂは、隙間形成部３７の折り返し部３７ａに支持されながらリングフレーム３５（第１フレーム３５ａ）の内周面に沿って時計回りに移動する。これにより、図７に示すように、表示部３０ａ（フレーム３０ｂ）がリングフレーム３５の周方向に沿って時計回りに移動する。本実施形態では、移動装置３１は、略７時から８時の間の位置であって刀部材４１の背後の第１位置（初期位置）と、略９時の位置であって顔部材５１の背後の第２位置（図７（ｂ）参照）と、略１２時の位置であって可動役物６１の背後の第３位置（図７（ｃ）参照）とに、表示部３０ａ（フレーム３０ｂ）を移動可能である。また、表示部３０ａ（フレーム３０ｂ）が第２位置や第３位置にある状態からリングフレーム３５が反時計回りに回動すると、第２ピン３２ｂは、折り返し部３７ａに支持されながら振分部材３９の右側に振り分けられる。そして、第２ピン３２ｂは、リングフレーム３５の第２フレーム３５ｂの内周面に沿って、受け板３８のピン受け部３８ａに受けられる初期位置まで反時計回りに移動する。また、第１ピン３２ａは、連結アーム３６と共に下降し、振分部材３９の左側に振り分けられて、振分部材３９の左側面に沿って初期位置まで移動する。なお、以下では、表示部３０ａとフレーム３０ｂとを区別することなく表示部３０ａが移動するものとして説明する。
【００２２】
第１役物装置４０は、図２，図３に示すように、刀の形を模した刀部材４１と、駆動モータ４３と、駆動モータ４３の駆動ギヤ４４に噛合し刀部材４１の回動軸４１ａに連結される従動ギヤ４５とを備える。第１役物装置４０は、初期状態で大部分が遊技盤３に覆われると共に表示部３０ａを覆う第１位置（初期位置）にある（図１中点線参照）。この刀部材４１が遊技盤３に覆われる部分は、遊技盤３（光透過性の印刷）越しに視認可能となっている。また、刀部材４１は、光透過性を有する部材で形成されており、表示部３０ａに表示される画像を透過可能となっている。このため、例えば図２に示すように、表示部３０ａに表示される「ＣＨＡＮＣＥ」の文言を示す画像と、刀部材４１との重畳表示が可能であり、さらに、遊技者は遊技盤３（光透過性の印刷）越しに、表示部３０ａの画像（刀部材４１との重畳表示）を視認可能である。また、第１役物装置４０は、駆動モータ４３の駆動により刀部材４１が回動軸４１ａ回りに回動すると（図２中点線参照）、刀部材４１が開口部２２ａの略中央（メイン液晶表示装置１２の前面側）に移動して遊技盤３から露出する。この場合、画像を表示していない表示部３０ａやベース板２２，リングフレーム３５などは遊技盤３に覆われており、遊技盤３の光透過性の印刷により視認し難くなっている。
【００２３】
第２役物装置５０は、図２，図３，図８，図９に示すように、キャラクタの顔の装飾が施された平板状の顔部材５１と、ベース板２２に固定されガイド孔５２ａ，５２ｂが形成されたプレート５２と、プレート５２に吊り下げられ顔部材５１が取り付けられる枠状の取付部材５３と、プレート５２上に立設する門型のモータマウント５４に取り付けられる駆動モータ５５と、駆動モータ５５の駆動により回動する回動アーム５６とを備える。なお、図８（ａ），図９（ａ）は第２役物装置５０の上面図であり、図８（ｂ），図９（ｂ）は第２役物装置５０の正面図である。回動アーム５６は、駆動モータ５５の駆動軸に一端が連結される第１アーム５６ａと、第１アーム５６ａの他端に回動可能に連結される第２アーム５６ｂとを有する。この回動アーム５６は、駆動モータ５５の逆回転駆動により第１アーム５６ａと第２アーム５６ｂとが折り畳まれる初期状態となり（図８参照）、駆動モータ５５の正回転駆動により伸長する（図９参照）。取付部材５３は、枠上面から突出し各ガイド孔５２ａ，５２ｂのそれぞれに係合する係合ピン５３ａ，５３ｂが設けられている。係合ピン５３ａは、回動アーム５６の第２アーム５６ｂの下面先端に接続されており、回動アーム５６（第２アーム５６ｂ）の回動によりガイド孔５２ａに沿って移動する。係合ピン５３ｂは、係合ピン５３ａがガイド孔５２ａに沿って移動することにより、ガイド孔５２ｂに沿って移動する。
【００２４】
本実施形態では、第２役物装置５０は、初期状態では、図２，図３，図８に示すように、顔部材５１の装飾面（前面）がメイン液晶表示装置１２（表示部）や第２位置にあるサブ液晶表示装置３０（表示部３０ａ）の表示面に対して斜めになる斜め向きとなっている。この斜め向きでは、顔部材５１がメイン液晶表示装置１２の表示面を覆う領域（面積）を抑えて、メイン液晶表示装置１２の全表示面を遊技者に視認し易くすることができる。また、顔部材５１は、その前面の領域のうち初期状態の斜め向きで２／３程度が遊技盤３に覆われている（図１参照）。第２役物装置５０は、駆動モータ５５が正回転駆動して回動アーム５６が伸長すると、係合ピン５３ａ，５３ｂがそれぞれガイド孔５２ａ，５２ｂの一端側へ移動して取付部材５３が水平方向に回動し、顔部材５１の向きを変化させる。この状態では、図９に示すように、顔部材５１の装飾面（前面）が正面向きとなり、メイン液晶表示装置１２（表示部）や第２位置にあるサブ液晶表示装置３０（表示部３０ａ）の表示面と平行な向きとなり、１／２程度が遊技盤３に覆われている。なお、遊技盤３は、顔部材５１の前方側の領域のうち、少なくとも正面向きとなった顔部材５１に対向する領域には装飾が施されていない。このため、顔部材５１は、遊技盤３の透明領域越しに視認し易いものとなっている。顔部材５１が正面向きとなると、第２位置にあるサブ液晶表示装置３０の表示部３０ａを覆うことになる。なお、顔部材５１は、光透過性を有する部材で形成されており、正面向きであってもサブ液晶表示装置３０の表示部３０ａなどに表示される画像を透過可能となっている。また、第２役物装置５０は、駆動モータ５５が逆回転駆動して回動アーム５６が折り畳まれるように回動すると、係合ピン５３ａ，５３ｂがそれぞれガイド孔５２ａ，５２ｂの他端側へ移動することで、取付部材５３が初期状態の向きまで水平方向に回動し、顔部材５１を斜め向きに変化させる。
【００２５】
第３役物装置６０は、図２，図３に示すように、可動役物６１と、第１プレート６２に設けられ可動役物６１を回転させる回転装置６５と、ベース板２２に固定される第２プレート６３に設けられ第１プレート６２ごと可動役物６１を昇降させる昇降装置７１とを備える。可動役物６１は、中央部が光透過性を有する部材で形成され外周部が光透過性を有さない部材で形成されると共に装飾が施された円盤部材６１ａと、円盤部材６１ａの円中心を回転中心とする針部材６１ｂとを備える。
【００２６】
回転装置６５は、駆動モータ６６と、駆動モータ６６の駆動ギヤ６７に噛合する複数の伝達ギヤ６８と、伝達ギヤ６８に噛合し円盤部材６１ａの外周に形成されたリングギヤ６９とを備える。なお、回転装置６５の駆動ギヤ６７や伝達ギヤ６８は、図示しない装飾カバーに覆われて遊技者側から視認不能となっている。また、回転装置６５は、図示は省略するが、伝達ギヤ６８に噛合し針部材６１ｂの回転軸に連結される回転ギヤを備える。回転装置６５は、駆動モータ６６の駆動により円盤部材６１ａと針部材６１ｂとを回転させる。本実施形態の回転装置６５は、円盤部材６１ａと針部材６１ｂとが異なる回転方向に異なる回転速度で回転するように各ギヤが設けられている。なお、円盤部材６１ａを回転させる駆動源と、針部材６１ｂを回転させる駆動源とを共通の駆動モータ６６とするものに限られず、別々の駆動モータとしてもよい。
【００２７】
昇降装置７１は、駆動モータ７２と、駆動モータ７２の駆動ギヤ７３に噛合する伝達ギヤ７４と、伝達ギヤ７４に噛合する巻き上げギヤ７５と、第１プレート６２の上部に一端側が接続されると共に他端側が巻き上げギヤ７５に巻き上げられるワイヤ７６と、第１プレート６２の背面の左右両端に接合されるスライドロッド７７ａの上下方向の移動をガイドするよう第２プレート６３の前面の左右両端に設けられるスライドガイド７７とを備える。昇降装置７１は、駆動モータ７２の駆動により巻き上げギヤ７５を時計回りに回転させると、ワイヤ７６が巻き上げられてスライドガイド７７がスライドロッド７７ａのスライドをガイドしながら第１プレート６２（可動役物６１）が上昇し、初期位置へ移動する（図２中実線参照）。また、昇降装置７１は、駆動モータ７２の駆動により巻き上げギヤ７５を反時計回りに回転させると、ワイヤ７６の巻き上げが解除されてスライドガイド７７がスライドロッド７７ａのスライドをガイドしながら第１プレート６２（可動役物６１）が自重により下降し、作動位置へ移動する（図２中点線参照）。なお、第１プレート６２（可動役物６１）がワイヤにより昇降するものに限られず、ラックピニオン機構やリンク機構などにより昇降してもよい。
【００２８】
次に、こうして構成された演出装置２０の動作について説明する。図１０〜図１３は演出装置２０の作動の様子を示す説明図である。図１０，図１１は、移動装置３１の駆動モータ３３の正回転駆動によりサブ液晶表示装置３０の表示部３０ａが第２位置に移動し、第２役物装置５０の駆動モータ５５の正回転駆動により顔部材５１の向きが正面向きとなった状態を示す。図示するように、正面向きの顔部材５１の背後に表示部３０ａが位置している。上述したように、顔部材５１は光透過性を有する部材で形成されており、正面向きであっても表示部３０ａに表示される画像を透過可能であるから、サブ液晶表示装置３０の表示部３０ａに表示される画像Ｇａと、顔部材５１の装飾とによる重畳表示を遊技者が視認可能となる。また、顔部材５１は、正面向きの状態でも１／２程度が遊技盤３に覆われているが、その部分は、遊技盤３の印刷（装飾）が施されていない透明領域越しに視認可能である。このため、遊技者は、サブ液晶表示装置３０の画像Ｇａと、顔部材５１の装飾との重畳表示を容易に視認可能である。図１０，図１１では、画像Ｇａの一例として、閃光などを模した画像や顔部材５１の黒目を模した画像、顔部材の口（唇）を模した画像などを表示する様子を示す。これらの画像Ｇａとして複数種類の画像を表示可能として、黒目や口が動くように画像Ｇａを変化させることで、顔部材５１が動いているように見せることができるなど、重畳表示のパターンを多様化することができる。これらの重畳表示により大当りの可能性を示唆するものとすれば、重畳表示に遊技者を注目させて遊技興趣を高めることができる。なお、サブ液晶表示装置３０の画像Ｇａと、顔部材５１の装飾とによる重畳表示に加え、重畳表示に関連する画像Ｇｂ（閃光などを模した画像Ｇｂや顔部材５１の動き（表情）に合わせたセリフ画像など）をメイン液晶表示装置２０に表示することで、さらに多彩な演出を行うこともできる。
【００２９】
図１２は、移動装置３１の駆動モータ３３の正回転駆動によりサブ液晶表示装置３０の表示部３０ａが第３位置に移動し、第２役物装置５０の駆動モータ５５の逆回転駆動により顔部材５１の向きが斜め向きとなり、第３役物装置６０（回転装置６５）の駆動モータ６６の回転駆動により可動役物６１（円盤部材６１ａと針部材６１ｂ）が回転している状態を示す。図示するように、可動役物６１の背後に表示部３０ａが位置している。上述したように、円盤部材６１ａは中央部が光透過性を有する部材で形成されており、中央部越しに表示部３０ａに表示される画像を透過可能であるから、この場合も、サブ液晶表示装置３０の表示部３０ａに表示される画像Ｇａと、可動役物６１とによる重畳表示を遊技者が視認可能となる。図１２では、画像Ｇａの一例として、画面上に４分割された各領域に大当りの可能性を示唆する画像Ｇａ（ここで「○」の画像と「×」の画像）を２つずつ表示する様子を示す。第３役物装置６０の円盤部材６１ａと針部材６１ｂとが回転（作動）しているから、表示部３０ａに表示される画像Ｇａとの重畳表示により、ルーレットを模した演出を行うことができる。このように、サブ液晶表示装置３０の表示部３０ａに、移動位置に応じて異なる画像を表示することで、各位置の装飾部材（役物，演出部材）と行う重畳表示のパターンを多様化することができる。
【００３０】
図１３は、サブ液晶表示装置３０の表示部３０ａを第３位置に位置させたまま、第３役物装置６０（昇降装置７１）の駆動モータ７２の正回転駆動により可動役物６１（円盤部材６１ａと針部材６１ｂ）が下方に移動した状態を示す。図示するように、表示部３０ａが可動役物６１（円盤部材６１ａと針部材６１ｂ）に覆われることなく露出している。これにより、第３位置にある表示部３０ａと可動役物６１（円盤部材６１ａと針部材６１ｂ）との重畳表示と、第３位置にある表示部３０ａのみの表示とを容易に切り替えることができるから、さらに多様な演出を可能とすることができる。なお、第３位置にある表示部３０ａのみでの画像表示において、例えば「激アツ！！」の文言のように大当りの可能性が高いことを示唆する画像を表示するものなどとすれば、表示部３０ａが第３位置にあるときに可動役物６１との重畳表示だけでなく可動役物６１が作動して表示部３０ａが露出するか否かにも遊技者を注目させて遊技興趣を高めることができる。
【００３１】
以上説明した本実施形態の演出装置２０は、サブ液晶表示装置３０の表示部３０ａが移動装置３１により、第１位置と、第１位置とは異なる位置とに移動可能で、第１位置にある表示部３０ａに表示される画像と、画像を透過可能な刀部材４１とによる重畳表示が可能である。これにより、第１位置での刀部材４１と表示部３０ａとによる重畳表示と、第１位置とは異なる位置での表示部３０ａによる表示とが可能となるから、多様な表示パターンを可能として遊技興趣をより向上させることができる。
【００３２】
また、演出装置２０は、移動装置３１により、第１位置と、第２役物装置５０の顔部材５１の背後の第２位置とに、表示部３０ａを移動させる。このため、表示部３０ａと複数種の部材とにより複数種の重畳表示を可能として、遊技興趣をさらに向上させることができる。
【００３３】
また、演出装置２０は、第２役物装置５０の顔部材５１の装飾面（前面，透過面）がサブ液晶表示装置３０の表示部３０ａに対して斜めになる斜め向きと、表示部３０ａに対して平行になる正面向きとに変化するよう回動可能である。このため、顔部材５１がサブ液晶表示装置３０の表示部３０ａと重畳表示しない場合には、顔部材５１の装飾面により覆われる領域を抑えることができる。第２役物装置５０は、メイン液晶表示装置２０の左側に設けられているから、メイン液晶表示装置１２の表示面を覆う領域を抑えることで、メイン液晶表示装置１２の全表示面を遊技者に視認し易くすることができる。
【００３４】
また、演出装置２０は、移動装置３１により、第１位置と第３位置とに、表示部３０ａを移動させる。可動役物６１は、第３位置の表示部３０ａを覆う位置と、第３位置の表示部３０ａを露出する位置とに移動可能である。このため、第３位置にある表示部３０ａと可動役物６１との重畳表示と、第３位置にある表示部３０ａのみの表示とを容易に切り替えることができるから、さらに多様な表示パターンを可能とすることができる。
【００３５】
上述した実施形態では、第３役物装置６０の可動役物６１が、第３位置の表示部３０ａを覆う位置と、第３位置の表示部３０ａを露出する位置とに移動可能としたが、これに限られず、移動しないもの、即ち可動役物６１が第３位置にあって第３位置の表示部３０ａを常に覆うものとしてもよい。同様に、第１位置にある第１役物装置４０の刀部材４１も作動（回動）することなく、第１位置にあって第１位置の表示部３０ａを常に覆うものとしてもよい。
【００３６】
上述した実施形態では、第２役物装置５０の顔部材５１が斜め向きと正面向きとに変化するよう回動可能としたが、これに限られず、回動しないもの、即ち顔部材５１が常に第２位置の表示部３０ａを覆うことが可能な正面向きとなっているものとしてもよい。
【００３７】
上述した実施形態では、移動装置３１により、第１役物装置４０の刀部材４１の背後の第１位置と、第１位置以外で装飾部材（第２役物装置５０の顔部材５１や第３役物装置６０の可動役物６１）の背後の第２位置や第３位置とに表示部３０ａを移動させるものとしたが、これに限られるものではない。例えば、移動装置３１により、第１役物装置４０の刀部材４１の背後の第１位置と、第１位置以外の位置とに表示部３０ａを移動させるものであればよく、第１位置以外の位置は装飾部材の背後の位置に限られるものではない。
【００３８】
上述した実施形態では、第１役物装置４０（刀部材４１）と、第２役物装置５０（顔部材５１）と、第３役物装置６０（可動役物６１）との３つの役物装置（装飾部材）を備え、第１役物装置４０の刀部材４１の背後の位置を表示部３０ａの初期位置としたが、これに限られるものではない。例えば、これらの３つの役物装置うちの少なくともいずれか１つを備え、いずれか１つの役物装置（装飾部材）の背後の位置を表示部３０ａの初期位置としてもよい。
【００３９】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００４０】
実施例の主要な要素と課題を解決するための手段の欄に記載した発明の主要な要素との対応関係について説明する。実施例では、演出装置２０が「遊技機用演出装置」に相当し、サブ液晶表示装置３０の表示部３０ａが「表示装置」に相当し、第１役物装置４０の刀部材４１が「装飾部材（第１装飾部材）」に相当し、サブ液晶表示装置３０の移動装置３１が「移動装置」に相当する。第２役物装置５０の顔部材５１が「第２装飾部材」に相当する。第３役物装置６０の可動役物６１が「第３装飾部材」に相当する。
【００４１】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【符号の説明】
【００４２】
１  遊技機、２  本体、３  遊技盤、４  スピーカ、５  上受け皿、６  下受け皿、７  発射ハンドル、１１  図柄表示装置、１２  メイン液晶表示装置、１３  第１始動口、１４  第２始動口、１５  大入賞口、１６  アウト口、２０  演出装置、２２  ベース板、２２ａ  開口部、３０  サブ液晶表示装置、３０ａ  表示部、３０ｂ  フレーム、３１  移動装置、３２ａ  第１ピン、３２ｂ  第２ピン、３３  駆動モータ、３４ａ  駆動ギヤ、３４ｂ  伝達ギヤ、３４ｃ  リングギヤ、３５  リングフレーム、３５ａ  第１フレーム、３５ｂ  第２フレーム、３６  連結アーム、３６ａ  連結軸、３７  隙間形成部、３７ａ  折り返し部、３８  受け板、３８ａ  ピン受け部、３９  振分部材、４０  第１役物装置、４１  刀部材、４１ａ  回動軸、４３  駆動モータ、４４  駆動ギヤ、４５  従動ギヤ、５０  第２役物装置、５１  顔部材、５２  プレート、５２ａ，５２ｂ  ガイド孔、５３  取付部材、５３ａ，５３ｂ  係合ピン、５４  モータマウント、５５  駆動モータ、５６  回動アーム、５６ａ  第１アーム、５６ｂ  第２アーム、６０  第３役物装置、６１  可動役物、６１ａ  円盤部材、６１ｂ  針部材、６２  第１プレート、６３  第２プレート、６５  回転装置、６６  駆動モータ、６７  駆動ギヤ、６８  伝達ギヤ、６９  リングギヤ、７１  昇降装置、７２  駆動モータ、７３  駆動ギヤ、７４  伝達ギヤ、７５  巻き上げギヤ、７６  ワイヤ、７７  スライドガイド、７７ａ  スライドロッド、Ｇａ，Ｇｂ  画像。
【図１】
2018114134.tif 000003
【図２】
2018114134.tif 000004
【図３】
2018114134.tif 000005
【図４】
2018114134.tif 000006
【図５】
2018114134.tif 000007
【図６】
2018114134.tif 000008
【図７】
2018114134.tif 000009
【図８】
2018114134.tif 000010
【図９】
2018114134.tif 000011
【図１０】
2018114134.tif 000012
【図１１】
2018114134.tif 000013
【図１２】
2018114134.tif 000014
【図１３】
2018114134.tif 000015